(57)【要約】【課題】浸透桝下部の地山の緩みを生じさせることなく、敷地内の雨水等を地中に良好に流すことのできる浸透桝を提供する。【解決手段】浸透桝１の貯留槽２の底面のほぼ中央には貯留槽２の底部の桝部材２ｂを貫通する浸透管３が設けられている。この浸透管３は、雨水等を浸透させる浸透孔が形成されていない無孔部３ａと、複数の浸透孔３ｂｈが形成された有孔部３ｂとを備えている。そして、この無孔部３ａと有孔部３ｂとの境界ＢＰが地下水位ＷＬの変動上限位置と同等またはそれよりも深い位置になるように浸透管３が設置されている。【選択図】図７
2016048007.tif 000002
【特許請求の範囲】
【請求項１】
雨水が流入する開口を備えた貯留槽と、
前記貯留槽の底部を貫通して地下水位に達するように設けられた筒状体と、
前記筒状体の地中埋設部の外周を取り囲む複数の砕石により形成された砕石部とを備え、
前記筒状体は、上端から地中にわたり孔が形成されていない無孔部と、該無孔部の下部から前記筒状体の下端にわたり複数の孔が形成された有孔部とを備え、該無孔部と該有孔部との境界が、前記地下水位の変動上限と同等またはそれよりも深い位置に配置されるように設けられていることを特徴とする浸透桝。
【請求項２】
前記筒状体の上端面の雨水の流入口に網状の蓋が取り付けられていることを特徴とする請求項１記載の浸透桝。
【請求項３】
前記網状の蓋が筒蓋であることを特徴とする請求項２記載の浸透枡。
【発明の詳細な説明】
【技術分野】
【０００１】
本発明は、敷地内の雨水等を地中に流すための浸透桝に関するものである。
【背景技術】
【０００２】
浸透桝は、地表に降り注いだ雨水等を浸透桝の中で一時的に貯留し、徐々に地中へと浸透させる構造体である。浸透桝の構造としては、例えば地面に垂直に掘られた開口の側面にコンクリート壁を設けるとともに、その開口の底部に複数個の砕石を敷き詰めて砕石層を設ける構造がある。この構造においては、浸透桝に貯留された雨水等を、浸透桝底部の砕石層を通じて地中へと浸透させるようになっている。
【０００３】
また、例えば特開２００８−２１４８５９号公報には、桝本体の底部に貫通穴を設け、その貫通穴の下方に設けられた浸透部材収容穴に浸透部材および逆流防止部材を設けた浸透桝構造が開示されている。
【０００４】
また、例えば特開２００９−９７１５１号公報には、集水桝の底部を貫通して地中に配置した浸透管の上端部を集水桝の底から突出させ、その突出上面の開口部にフィルタを取り付けた透水構造が開示されている。
【先行技術文献】
【特許文献】
【０００５】
【特許文献１】特開２００８−２１４８５９号公報
【特許文献２】特開２００９−９７１５１号公報
【発明の概要】
【発明が解決しようとする課題】
【０００６】
しかしながら、浸透桝の底部に砕石層を設ける構造のように地上近くで雨水等を地下に流す構造の場合は、浸透桝の下部の地山が浸透水により緩んでしまう問題がある。また、浸透桝の底部の砕石層にゴミ等が溜まり易く、詰まり易いという問題がある。
【０００７】
また、特許文献１の浸透桝の場合は、桝本体の側壁に形成された排水管を通じて雨水管に接続されており、雨水等を河川に流すことが可能な構造となっているので、雨水等を浸透部材を通じて地下に流す上で充分な考慮がなされていない。
【０００８】
また、特許文献２の場合は、ゴミ等による浸透管の詰まりは防げるものの浸透管を通じて雨水等を地下に流す上で充分な考慮がなされていない。
【０００９】
本発明は、浸透桝の下部の地山の緩みを生じさせることなく、敷地内の雨水等を地中に良好に流すことのできる浸透桝を提供することを目的とする。
【課題を解決するための手段】
【００１０】
上記課題を解決するため、請求項１に記載の本発明の浸透桝は、雨水が流入する開口を備えた貯留槽と、前記貯留槽の底部を貫通して地下水位に達するように設けられた筒状体と、前記筒状体の地中埋設部の外周を取り囲む複数の砕石により形成された砕石部とを備え、前記筒状体は、上端から地中にわたり孔が形成されていない無孔部と、該無孔部の下部から前記筒状体の下端にわたり複数の孔が形成された有孔部とを備え、該無孔部と該有孔部との境界が、前記地下水位の変動上限と同等またはそれよりも深い位置に配置されるように設けられていることを特徴とする。
【００１１】
また、請求項２に記載の本発明の浸透桝は、請求項１記載の浸透桝において、前記筒状体の上端面の雨水の流入口に網状の蓋が取り付けられていることを特徴とする。
【００１２】
また、請求項３に記載の本発明の浸透枡は、請求項２記載の浸透枡において、前記網状の蓋が筒蓋であることを特徴とする。
【発明の効果】
【００１３】
請求項１記載の発明によれば、浸透桝の貯留槽内に流入した雨水等は、貯留槽の底面から地中に浸透するのではなく、貯留槽の底面を貫通する筒状体の無孔部の長さ分だけ離れた有孔部から地中に流れるので、浸透桝下部の地山が緩むのを抑制または防止することが可能になる。
【００１４】
また、浸透桝の筒状体の有孔部が、筒状体内の雨水等が流れ易い地下水位あたりに配置されることになり、敷地内の雨水等を浸透桝の筒状体を通じて地中に良好に流すことが可能になる。
【００１５】
請求項２記載の発明によれば、筒状体の上端面の雨水の流入口に網状の蓋が取り付けられていることにより、貯留槽に入った泥、砂、砂利、枯葉および小雑物等が筒状体に入るのを低減または防止できる。このため、筒状体の目詰まりを低減または防止することができるので、敷地内の雨水等を浸透桝の筒状体を通じて地中に良好に流すことが可能になる。
【００１６】
請求項３記載の発明によれば、網状の筒蓋の上面に土砂や枯葉等が堆積したとしても網状の筒蓋の側面から雨水等を筒状体に流すことができるので、雨水等を地下に良好に流すことが可能になる。
【図面の簡単な説明】
【００１７】
【図１】本発明の一実施の形態に係る浸透桝の平面図である。
【図２】図１の浸透桝のＩ−Ｉ線の断面図である。
【図３】図１の浸透桝の桝蓋の平面図である。
【図４】図３の桝蓋のII−II線の断面図である。
【図５】図３の桝蓋のIII−III線の断面図である。
【図６】図１の浸透桝を構成する浸透管の有孔部の要部拡大側面図である。
【図７】図１の浸透桝における雨水等の流れを説明するための図１のＩ−Ｉ線の断面図である。
【図８】本発明の他の実施の形態に係る浸透桝を上方から見た要部斜視図である。
【図９】図８の浸透桝の浸透管を横から見た要部側面図である。
【図１０】図８および図９の浸透枡における雨水等の流れを模式的に示した浸透桝の要部断面図である。
【発明を実施するための形態】
【００１８】
以下、本発明の一例としての実施の形態について、図面に基づいて詳細に説明する。なお、実施の形態を説明するための図面において、同一の構成要素には原則として同一の符号を付し、その繰り返しの説明は省略する。
【００１９】
（第１の実施の形態）
【００２０】
図１は本発明の実施の形態に係る浸透桝の平面図、図２は図１の浸透桝のＩ−Ｉ線の断面図、図３は図１の浸透桝の桝蓋の平面図、図４および図５は図３の桝蓋のそれぞれII−II線およびIII−III線の断面図、図６は図１の浸透桝を構成する浸透管の有孔部の要部拡大側面図、図７は図２に雨水等の流れを示した浸透桝の断面図である。なお、図２の符号ＧＬは地表面を示し、ＷＬは地下水位を示している。
【００２１】
図１および図２に示す本実施の形態の浸透桝１は、敷地内に排水本管が無いような場合において地表に降り注いだ雨水等を浸透桝１の中で一時的に貯留し、徐々に地中へと浸透させる構造体である。
【００２２】
浸透桝１は、雨水等を一時的に貯留する貯留槽２と、貯留槽２の底部を貫通して地下水位ＷＬに達するまで延在する浸透管（筒状体）３と、浸透管３の地中埋設部の外周を取り囲む砕石部４とを備えている。
【００２３】
貯留槽２は、地表面ＧＬに垂直に形成された凹状の開口部５の側面および底面を覆う桝部材２ａ，２ｂにより有底の四角筒状に形成されている。貯留槽２の平面形状は、例えば正方形に形成されており、外側の縦横寸法Ｌ１は、例えば１７０ｃｍ、内側の縦横寸法Ｌ２は、例えば７０ｃｍである。また、貯留槽２の深さＤ１は、例えば５０ｃｍ、開口部５の深さＤ２は、例えば７０ｃｍである。
【００２４】
貯留槽２の側壁の桝部材２ａは、外側の枠体部Ｆ１と、その内側の枠体部Ｆ２とを一体的に有している。外側の枠体部Ｆ１は、例えばコンクリートにより形成されている。この枠体部Ｆ１は、枠体部Ｆ２よりも浅い位置で終端している。内側の枠体部Ｆ２は、例えば鉄筋コンクリートにより形成されている。この枠体部Ｆ２は、開口部５の底部の基礎板（捨てコンクリート）８に達しており、貯留槽２の底部の桝部材２ｂと一体的に形成されている。
【００２５】
また、貯留槽２の側壁の桝部材２ａの上部の内周部分には、外方に後退する段差部Ｒが形成されている。この段差部Ｒには、貯留槽２の上面の開口を塞ぐように、図３〜図５に示す桝蓋９が着脱自在の状態で収容される。桝蓋９は、例えば角型グレーチング蓋からなり、主裏面を貫通する複数の水抜き孔９ａが穿孔されているとともに、その裏面には強度を確保するための補強材９ｂが一体的に形成されている。
【００２６】
貯留槽２の底面のほぼ中央には、貯留槽２の底部の桝部材２ｂおよび基礎板８を貫通する孔１０が穿孔されている。この孔１０を通じて上記した浸透管３が地表面ＧＬに垂直に延在した状態で設けられている。この浸透管３は、例えば、塩化ビニル等のような樹脂を基材とする円筒形状のパイプによって形成されている。浸透管３の直径は、例えば１５ｃｍ、全長は、例えば３１０ｃｍである。
【００２７】
浸透管３の上端（始端）は、貯留槽２の底面から高さＨ１（例えば１０ｃｍ）だけ突出されている。この浸透管３の突出部分は、雨水等を地中に浸透させるための微細な浸透孔が穿孔されていない後述の無孔部分であり、雨水等は、浸透管３の上端面の開口（流入口）を通じて管内に流れるようになっている。したがって、貯留槽２内に入り込んだ砂または砂利等の水に浮かない物は、貯留槽２の底面に溜まることはあっても、浸透管３の突出上端面に達しない限り、浸透管３の内部に侵入するのを防止できる。これにより、浸透管３が、砂または砂利等によって目詰まりするのを低減または防止できるので、雨水等を浸透管３を通じて地中に良好に流すことができる。
【００２８】
また、浸透管３の上端面には、その上端面の開口を覆うように網状の平蓋１１が着脱自在の状態で取り付けられている。この網状の平蓋１１は、雨水等は通すが、泥、砂、砂利、枯葉、小雑物あるいは油等は通さないフィルタである。この網状の平蓋１１を取り付けたことにより、砂や砂利等のように水に浮かない物が浸透管３の上端面に達したとしても浸透管３内に侵入するのを防止できる上、泥、枯葉あるいは油等のように水に浮く物であっても浸透管３の内部に侵入するのを防止できる。これにより、浸透管３が、泥、砂、砂利、枯葉、小雑物によって目詰まりするのを低減または防止できるので、雨水等を浸透管３を通じて地中に良好に流すことができる。また、油等が浸透管３を通じて地中に流れるのを防止できるので、地下水の汚染を防止することができる。なお、網状の平蓋１１は着脱自在になっているので、取り外して洗浄したり、交換したりすることができる。
【００２９】
また、本実施の形態の浸透桝１においては、浸透管３が、雨水等を地中に浸透させるための微細な浸透孔が穿孔されていない無孔部３ａと、その浸透孔３ｂｈ（図６参照）が複数穿孔された有孔部３ｂとを備えているとともに、浸透管３の下端面に無孔のキャップ１２が取り付けられている。
【００３０】
無孔部３ａは、浸透管３の上端（始端）から地中の予め決められた長さＬ３までの部分である。無孔部３ａの長さＬ３は、例えば１３０ｃｍである。一方、有孔部３ｂは、無孔部３ａの下端部（無孔部３ａと有孔部３ｂとの境界ＢＰ）から浸透管３の下端（終端）までの長さＬ４の部分である。有孔部３ｂの長さＬ４は、地中への雨水等の流れ易さを考慮して無孔部３ａの長さＬ３よりも長く、例えば１８０ｃｍである。また、貯留槽２の底面から無孔部３ａと有孔部３ｂとの境界ＢＰまでの深さＤ３は、例えば１００ｃｍである。
【００３１】
有孔部３ｂには、図６に示すように、例えば浸透管３の長手方向に延在するスリット状の浸透孔３ｂｈが形成されている。浸透管３の周方向に隣接する浸透孔３ｂｈは、浸透管３の長手方向に位置ずれした状態で並んで配置されている。浸透孔３ｂｈの開口率は、例えば３０％である。ただし、浸透孔３ｂｈの形状、配置および開口率はこれに限定されるものではなく種々変更可能であり、例えば浸透孔３ｂｈの形状は円形や楕円形等でも良い。
【００３２】
このような本実施の形態の浸透桝１においては、図７に示すように、貯留槽２内に流入した雨水等は、貯留槽２の底面から地中に浸透するのではなく、貯留槽２の底側の浸透管３を通じて無孔部３ａの長さ分だけ離れた有孔部３ｂから地中に浸透するようになっている。このため、浸透桝１の直下の地山が雨水等で緩んだり、浸透桝１の直下の地山が雨水等の影響で沈下したり、雨量によって雨水等が溢れたり、浸透桝１の直下が冬場に凍結したりする不具合を抑制または防止することができる。
【００３３】
また、浸透管３は、その下端（終端）が地下水位ＷＬに達しており、その無孔部３ａと有孔部３ｂとの境界ＢＰが地下水位ＷＬの変動上限位置と同等またはそれよりも深い位置になるように設けられている。
【００３４】
浸透桝１の設置場所により異なるので一概には言えないが、地表面ＧＬから地下水位ＷＬまでの深さＤ４は、例えば２００ｃｍ、地下水位ＷＬの変動幅は、例えば２０ｃｍ〜３０ｃｍである。このため、本実施の形態においては、無孔部３ａと有孔部３ｂとの境界ＢＰが、地下水位ＷＬから変動上限分の高さＨ２（ここでは、例えば３０ｃｍ）だけ上方に配置されている。
【００３５】
すなわち、本実施の形態の浸透桝１においては、浸透管３の有孔部３ｂを、水の流れがあり浸透管３内の雨水等が流れ易い地下水位ＷＬまで導いている。このため、浸透管３内に流入した雨水等は、地下水の流れに乗じて速やかに流れるようになっている。したがって、浸透管３内の雨水等を地中に良好に流すことができる。
【００３６】
浸透管３は地下水の領域内で終端しており、有孔部３ｂの大半が地下水の領域内に含まれている。この地下水は、大気圧とほぼ同じ圧力状態であり、また、比較的流れの速い不圧地下水が好ましい。なお、地表面ＧＬから浸透管３の終端までの深さＤ５は、例えば３５０ｃｍである。また、貯留槽２の下面から浸透管３の終端までの深さＤ６は、例えば２８０ｃｍである。
【００３７】
また、浸透管３の一部に無孔部３ａを設け、浸透管３の深い位置に有孔部３ｂを設けるとともに、浸透管３の下端面にキャップ１２を設けたことにより、雨水等が浸透管３内に一時的に貯水され浸透管３内の水位が上昇するため、浸透管３の下部（有孔部３ｂ）での水を押出す圧力を増大させることができる。しかも、雨水等を地中に浸透させる有孔部３ｂは、浸透管３の下端面よりも広い面積を確保できるとともに、雨水等が流れ易い地下水の領域に配置されている。これらにより、浸透管３内の雨水等を地中に良好に流すことができる。
【００３８】
また、図２および図７に示すように、浸透管３の外周には裏面排水材１３が巻きつけられている。裏面排水材１３は、地中の泥、砂、砂利、枯葉および小雑物等が浸透管３内に侵入するのを防止するための部材であり、有孔部３ａの全域を覆うように、無孔部３ａの下部に若干重なる位置から浸透管３の下端にわたって巻きつけられている。これにより、浸透管３が地中の泥、砂、砂利、枯葉および小雑物等により目詰まりするのを低減または防止できるので、雨水等を地中に良好に流すことができる。
【００３９】
裏面排水材１３は、例えばポリエチレンを主材料としたプラスチックからなり、編まずに網状に形成されている。プラスチックにより形成されているので耐久性、耐寒性、耐候性に優れている上、編まずに形成されているので目崩れすることがない。網目の大小、形状、太さ等は種々変更可能であるが、例えばＷＦ５、網目９ｍｍ×９ｍｍ、厚さが３．５ｍｍのものが使用されている。
【００４０】
また、浸透管３（裏面排水材１３を含む）の外周には、上記した砕石部４が形成されている。この砕石部４は、例えば直径が４ｃｍ程度の複数の砕石４ｓが浸透管３の長手方向に積み重ねられることで形成されている。砕石部４の外形は、例えば円筒形状に形成されており、その外側の直径は、例えば４５ｃｍである。
【００４１】
（第２の実施の形態）
【００４２】
図８は本発明の実施の形態に係る浸透桝１を上方から見た要部斜視図、図９は図８の浸透桝１の浸透管３を横から見た要部側面図、図１０は図８および図９の浸透枡１における雨水等の流れを模式的に示した浸透桝１の要部断面図である。
【００４３】
本実施の形態の浸透枡１においては、貯留槽２内の浸透管３の上端に網状の筒蓋２０が着脱自在の状態で取り付けられている。この網状の筒蓋２０は、上記した網状の平蓋１１と同様の機能を有する部材であり、例えば、ステンレスのような耐蝕性の高い金網により円筒蓋形状に形成されている。このため、浸透枡１の貯留槽２内には、浸透管３の無孔部３ａの一部と、その上の筒蓋２０の網目とが高さ方向に沿って突出された状態で配置されている。
【００４４】
浸透管３の上端面の蓋が平蓋の場合、その上面に雨水等の流れにより土砂や枯葉等が堆積してしまうと雨水等の流れが阻害され、雨水等が浸透管３に流れなくなってしまう。これに対して、本実施の形態のように浸透管３の上端面の蓋が網状の筒蓋２０の場合、図１０に示すように、筒蓋２０の上面に土砂や枯葉等のような阻害物Ｍが堆積したとしても、雨水等を筒蓋２０の側面から浸透管３内に流すことができるので、雨水等を地下に良好に流すことができる。
【００４５】
ここでは、筒蓋２０の上面が平坦状の場合を例示したが、これに限定されるものではなく、例えば筒蓋２０の上部を上方に向かって縮径する形状（半円球状、半楕円球状または円錐状等）に形成しても良い。この場合、筒蓋２０の上面に阻害物Ｍが堆積し難くなるので、筒蓋２０の上面の雨水等の流入領域を確保することができる。
【００４６】
また、筒蓋２０の上面を平坦状にしたまま側部を下方に向かって縮径する形状（横から見て逆台形状等）に形成しても良い。この場合、阻害物Ｍは、筒蓋２０の上面に堆積したとしても、筒蓋２０の上部が庇になり筒蓋２０の側面に被着し難くなるので、筒蓋２０の側面の雨水等の流入領域を確保することができる。
【００４７】
また、浸透枡１の枡部材２ｂの底面から浸透管３の無孔部３ａを突出させず、浸透管３の上面の開口上に筒蓋２０を被せる構成にしても良い。この場合は、浸透枡１の貯留槽２内に、筒蓋２０のみが高さ方向に沿って突出された状態で配置される。
【００４８】
以上、本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【００４９】
例えば前記実施の形態においては、四角筒状の貯留槽を有する浸透桝に適用した場合について説明したが、これに限定されるものではなく種々適用可能であり、例えば円筒形状の貯留槽を有する浸透桝に適用しても良い。
【符号の説明】
【００５０】
１  浸透桝
２  貯留槽
２ａ  桝部材
２ｂ  桝部材
３  浸透管（筒状体）
３ａ  無孔部
３ｂ  有孔部
３ｂｈ  浸透孔
４  砕石部
４ｓ  砕石
５  開口部
８  基礎板
９  桝蓋
９ａ  水抜き孔
９ｂ  補強材
１０  孔
１１  平蓋
１２  キャップ
１３  裏面排水材
２０  筒蓋
ＧＬ  地表面
ＷＬ  地下水位
Ｆ１，Ｆ２  枠体部
Ｒ  段差部
ＢＰ  境界
【図１】
2016048007.tif 000003
【図２】
2016048007.tif 000004
【図３】
2016048007.tif 000005
【図４】
2016048007.tif 000006
【図５】
2016048007.tif 000007
【図６】
2016048007.tif 000008
【図７】
2016048007.tif 000009
【図８】
2016048007.tif 000010
【図９】
2016048007.tif 000011
【図１０】
2016048007.tif 000012